(57)【要約】【課題】リモコンへ赤外線信号を送信する場合に、リモコンまでの距離に適した信号強度の赤外線信号を送信することができる電気機器及び空気調和機を提供する。【解決手段】空気調和機の室内機１は、リモコン５０から送信される赤外線信号を受信部１９にて受信した場合、受信した赤外線信号の信号強度を信号強度判定部２０にて判定する。室内機１からリモコン５０へ赤外線信号を送信する場合には、送信部１８から送信する赤外線信号の信号強度を、信号強度判定部２０での判定結果に応じて調整する。【選択図】図２
2007187346.tif 000002
【特許請求の範囲】
【請求項１】
赤外線信号を受信する受信手段を備え、該受信手段が受信した赤外線信号に応じて動作する電気機器において、
赤外線信号を送信する送信手段と、
前記受信手段が受信した赤外線信号の信号強度を判定する判定手段と、
該判定手段の判定結果に応じて、前記送信手段が送信する赤外線信号の信号強度を調整する調整手段と
を備えることを特徴とする電気機器。
【請求項２】
前記送信手段は、供給される電気量に応じた強度の赤外線を発する発光素子を有し、
前記調整手段は、前記発光素子に供給する電気量を調整するようにしてある請求項１に記載の電気機器。
【請求項３】
前記送信手段は、赤外線を発する発光素子を複数有し、
前記調整手段は、複数の前記発光素子の発光数を調整するようにしてある請求項１又は請求項２に記載の電気機器。
【請求項４】
赤外線信号を受信する受信手段を備え、該受信手段が受信した赤外線信号に応じて空気調和動作を行う空気調和機において、
赤外線信号を送信する送信手段と、
前記受信手段が受信した赤外線信号の信号強度を判定する判定手段と、
該判定手段の判定結果に応じて、前記送信手段が送信する赤外線信号の信号強度を調整する調整手段と
を備えることを特徴とする空気調和機。
【請求項５】
空気調和動作を行う動作状態と、空気調和動作を行わない待機状態とを切り替える状態切替手段を備え、
該状態切替手段により前記待機状態に切り替えられている場合に、前記調整手段により信号強度の調整を行うようにしてある請求項４に記載の空気調和機。
【発明の詳細な説明】
【技術分野】
【０００１】
本発明は、リモートコントローラから送信される赤外線信号により操作される電気機器及び空気調和機に関し、更に詳しくはリモートコントローラへ赤外線信号を送信する電気機器及び空気調和機に関する。
【背景技術】
【０００２】
従来から、空気調和機、テレビジョン装置、オーディオ装置及びハードディスクレコーダ等の電気機器にはリモートコントローラ（以下、リモコンという）が付属してあり、ユーザは電気機器の本体から離れた場所でリモコンを操作することにより、電気機器の動作を制御することができるようにしてある。リモコンから電気機器の本体への情報の伝達は、リモコンに搭載された赤外線を発するＬＥＤから、電気機器の本体に搭載された赤外線受光回路へ、赤外線による信号を送信することで行われる場合が多い。
【０００３】
また、近年では、液晶パネルを備え、電気機器の本体からの情報を受信して液晶パネルに表示することができるリモコンがあり、この場合には、電気機器の本体に赤外線を発するＬＥＤを搭載し、リモコンに赤外線受光回路を搭載することで、電気機器の本体からリモコンへ情報を伝達することができる。例えば空気調和機の場合には、空気調和機の室内機に搭載された温度センサが検出する室温又は空気調和機の動作状況等をリモコンへ送信し、リモコンの液晶パネルにこれらの情報を表示することができるようにしてあるものがある。
【０００４】
発光素子の発光を安定して行う技術として、特許文献１においては、半導体発光素子を駆動するための制御信号がベースに入力され、エミッタ−コレクタ間に電流を流すことにより発光素子を駆動するトランジスタと、このトランジスタに接続された定電流源として動作する絶縁ゲートトランジスタとを備えることにより、オーバーシュート及びリンギング等のない電流パルスで発光素子を駆動することができる半導体発光素子駆動回路が提案されている。  
【特許文献１】特開平８−５６０３４号公報
【発明の開示】
【発明が解決しようとする課題】
【０００５】
例えば空気調和機の場合、空気調和機の室内機は室内の一定の場所に設置されるが、リモコンはユーザが持ち運ぶことが可能であり、設置場所は一定ではない。ユーザがリモコンを操作し、リモコンが室内機へ赤外線信号を送信する場合には、ユーザはリモコンを室内機へ向けて操作するため、リモコンから室内機への赤外線信号の送信は良好に行うことができる可能性が高い。しかし、室内機からリモコンへ赤外線信号を送信する場合には、必ずしもリモコンの赤外線を受信する部分が室内機へ向けられているわけではないため、リモコンが置かれた場所又は向き等によっては赤外線信号を受信できない可能性がある。
【０００６】
空気調和機の室内機から送信する赤外線信号の信号強度を常に高く設定することで上記の問題に対応することができるが、消費電力が増加するという問題がある。空気調和機では、冷房及び暖房等の空気調和動作を行わない場合に、消費電力を低減する待機モードに移行して省電力化を行っている。しかし、待機モード時であってもリモコンの液晶パネルに室温表示を行う場合があり、空気調和機の室内機からリモコンへ赤外線信号の送信を行う必要があるため、待機モード時の消費電力の増加が特に問題となる。また、空気調和機以外の電気機器の場合であっても、同様の問題が発生する虞がある。
【０００７】
本発明は、斯かる事情に鑑みてなされたものであって、リモコンへ赤外線信号を送信する場合に、リモコンから受信した赤外線信号の信号強度に応じて、送信する赤外線信号の信号強度を調整する構成とすることにより、リモコンまでの距離に応じた信号強度の赤外線信号を送信することができる電気機器を提供することにある。
【０００８】
また本発明の他の目的とするところは、供給する電気量に応じた強度の赤外線を発する発光素子を用い、発光素子に供給する電気量を調整して赤外線信号の信号強度を調整する構成とすることにより、リモコンへ送信する赤外線信号の信号強度を簡単に調整することができる電気機器を提供することにある。
【０００９】
また本発明の他の目的とするところは、赤外線を発する発光素子を複数用い、発光させる発光素子の数を調整する構成とすることにより、リモコンへ送信する赤外線信号の信号強度を簡単に調整することができる電気機器を提供することにある。
【００１０】
また本発明の他の目的とするところは、リモコンへ赤外線信号を送信する場合に、リモコンから受信した赤外線信号の信号強度に応じて、送信する赤外線信号の信号強度を調整する構成とすることにより、リモコンまでの距離に応じた信号強度の赤外線信号を送信することができる空気調和機を提供することにある。
【００１１】
また本発明の他の目的とするところは、冷房及び暖房等の空気調和動作を行わない待機状態である場合に、受信した赤外線信号の信号強度に応じて送信する赤外線信号の信号強度を調整する構成とすることにより、待機状態での消費電力を低減できる空気調和機を提供することにある。
【課題を解決するための手段】
【００１２】
本発明に係る電気機器は、赤外線信号を受信する受信手段を備え、該受信手段が受信した赤外線信号に応じて動作する電気機器において、赤外線信号を送信する送信手段と、前記受信手段が受信した赤外線信号の信号強度を判定する判定手段と、該判定手段の判定結果に応じて、前記送信手段が送信する赤外線信号の信号強度を調整する調整手段とを備えることを特徴とする。
【００１３】
本発明においては、リモコンから赤外線信号を受信した場合に、受信した信号の信号強度を判定する。リモコンと電気機器との間の距離は、受信した赤外線信号の信号強度に比例するため、信号強度を判定することによりリモコンと電気機器との間の距離を推定できる。よって、受信した赤外線信号の信号強度に応じて、リモコンへ送信する赤外線信号の信号強度を調整することで、リモコンが確実に赤外線信号を受信できる。
【００１４】
また、本発明に係る電気機器は、前記送信手段が、供給される電気量に応じた強度の赤外線を発する発光素子を有し、前記調整手段は、前記発光素子に供給する電気量を調整するようにしてあることを特徴とする。
【００１５】
本発明においては、供給する電気量に応じた強度の赤外線を発する発光素子、例えば供給する電流量に応じて光量が変化するＬＥＤを用いて赤外線信号を送信する。ＬＥＤへの供給電流を調整することにより、簡単にリモコンへ送信する赤外線信号の信号強度が調整できる。
【００１６】
また、本発明に係る電気機器は、前記送信手段が、赤外線を発する発光素子を複数有し、前記調整手段は、複数の前記発光素子の発光数を調整するようにしてあることを特徴とする。
【００１７】
本発明においては、赤外線を発する発光素子、例えばＬＥＤを複数設けて、複数のＬＥＤにより赤外線信号を送信する。リモコンへ送信する赤外線信号の信号強度を強くする場合には発光させるＬＥＤの数を増し、弱くする場合には発光させるＬＥＤの数を減らすことで、信号強度の調整を簡単に行うことができる。
【００１８】
また、本発明に係る空気調和機は、赤外線信号を受信する受信手段を備え、該受信手段が受信した赤外線信号に応じて空気調和動作を行う空気調和機において、赤外線信号を送信する送信手段と、前記受信手段が受信した赤外線信号の信号強度を判定する判定手段と、該判定手段の判定結果に応じて、前記送信手段が送信する赤外線信号の信号強度を調整する調整手段とを備えることを特徴とする。
【００１９】
本発明においては、リモコンから赤外線信号を受信した場合に、受信した信号の信号強度を判定する。リモコンと空気調和機との間の距離は、受信した赤外線信号の信号強度に比例するため、信号強度を判定することによりリモコンと空気調和機との間の距離を推定できる。よって、受信した赤外線信号の信号強度に応じて、リモコンへ送信する赤外線信号の信号強度を調整することで、リモコンが確実に赤外線信号を受信できる。
【００２０】
また、本発明に係る空気調和機は、空気調和動作を行う動作状態と、空気調和動作を行わない待機状態とを切り替える状態切替手段を備え、前記状態切替手段により前記待機状態に切り替えられている場合に、前記調整手段により信号強度の調整を行うようにしてあることを特徴とする。
【００２１】
本発明においては、空気調和機が冷房及び暖房等の空気調和動作を行わないときには消費電力を低減する待機状態へ移行し、待機状態にてリモコンへ赤外線信号を送信する場合には、リモコンから受信した赤外線信号の信号強度に応じて送信する赤外線信号の信号強度を調整し、最適な消費電力で送信できる。
【発明の効果】
【００２２】
本発明による場合は、リモコンへ赤外線信号を送信する場合に、リモコンから受信した赤外線信号の信号強度に応じて、送信する赤外線信号の信号強度を調整する構成とすることにより、リモコンと電気機器との間の距離を推定し、リモコンまでの距離に応じた信号強度の赤外線信号を送信することができるため、リモコンが確実に赤外線信号を受信でき、電気機器の利便性を高めることができる。また、最適な電力消費量での赤外線信号の送信を行うことができるため、電気機器の消費電力を低減でき、省エネルギー化を実現できる。
【００２３】
また、本発明による場合は、供給する電気量に応じた強度の赤外線を発する発光素子を用い、発光素子に供給する電気量を調整して赤外線信号の信号強度を調整する構成とすることにより、リモコンへ送信する赤外線信号の信号強度を簡単に調整することができるため、信号強度の調整機能を電気機器に設けることによる回路規模の増大を抑制することができ、電気機器のコストの増加を抑えることができる。
【００２４】
また、本発明による場合は、赤外線を発する発光素子を複数用い、発光させる発光素子の数を調整する構成とすることにより、リモコンへ送信する赤外線信号の信号強度を簡単に調整することができるため、信号強度の調整機能を電気機器に設けることによる回路規模の増大を抑制することができ、電気機器のコストの増加を抑えることができる。
【００２５】
また、本発明による場合は、リモコンへ赤外線信号を送信する場合に、リモコンから受信した赤外線信号の信号強度に応じて、送信する赤外線信号の信号強度を調整する構成とすることにより、リモコンと空気調和機との間の距離を推定し、リモコンまでの距離に応じた信号強度の赤外線信号を送信することができるため、リモコンが確実に赤外線信号を受信でき、空気調和機の利便性を高めることができる。また、最適な電力消費量での赤外線信号の送信を行うことができるため、空気調和機の消費電力を低減でき、省エネルギー化を実現できる。
【００２６】
また、本発明による場合は、冷房及び暖房等の空気調和動作を行わない待機状態である場合に、受信した赤外線信号の信号強度に応じて送信する赤外線信号の信号強度を調整する構成とすることにより、待機状態での消費電力を低減できるため、空気調和機の省エネルギー化を実現できる。
【発明を実施するための最良の形態】
【００２７】
（実施の形態１）
以下、本発明をその実施の形態を示す図面に基づき具体的に説明する。なお、本実施の形態においては、電気機器として空気調和機を例に説明を行う。図１は、本発明に係る空気調和機の構成を示す模式図である。図において１は空気調和機の室内機であり、室内機１は、室内の特定の場所に設置され、ユーザがリモコン５０を操作することにより与えられる指示に従って、暖房、冷房、除湿及び送風等の室内の空気調和動作を行うものである。
【００２８】
リモコン５０はユーザが持ち運び可能な程度の大きさの略矩形の板状をなす筐体を有し、筐体の一面に空気調和機の動作状況を表示する液晶パネル５１、及びユーザが操作するための複数のボタンを有する操作部５２が配設されている。また、リモコン５０には、筐体の一端に赤外線信号の送受信を行う赤外線送受信部５３が設けられている。
【００２９】
室内機１には、リモコン５０の赤外線送受信部５３と赤外線信号の送受信を行うための赤外線送受信部２が、筐体前面の下部に設けられている。室内機１の赤外線送受信部２とリモコン５０の赤外線送受信部５３とが、赤外線信号によって情報の送受信を行うことにより、リモコン５０は操作部５２にユーザから与えられた操作に係る指示を室内機１へ与えることができる。また、室内機１は暖房、冷房、除湿及び送風等の動作状況、並びに内部に備えられた温度センサが測定した室温等の情報をリモコン５０へ与えることができ、リモコン５０は受信した情報を液晶パネル５１に表示するようにしてある。
【００３０】
図２は、本発明の実施の形態１に係る空気調和機の構成を示すブロック図である。空気調和機の室内機１は、ユーザがリモコン５０を用いずに操作を行うことができるように、複数のボタン又はスイッチ等が設けられた操作部１２と、発光色が異なる複数のランプが設けられ、空気調和機の動作状況をランプにより表示する表示部１１とを備えている。操作部１２は、ユーザの操作に応じた操作信号を、室内機１の各部の制御を行う制御部１０へ与えるようにしてある。また、表示部１１は制御部１０により複数のランプの点灯を制御されており、制御部１０は、暖房、冷房、除湿及び送風等の動作状況に応じて発光色が異なる複数のランプのいずれかが点灯するように制御を行うようにしてある。
【００３１】
室内機１の赤外線送受信部２は、赤外線を発するＬＥＤを有し、リモコン５０へ赤外線信号を送信する送信部１８と、赤外線を受光して、受光した赤外線に応じた電気信号を出力する受光素子を有し、リモコン５０から送信される赤外線信号を受信する受信部１９とを備えている。送信部１８は、制御部１０からの指示により赤外線信号を送信するようにしてあり、受信部１９は、受信した赤外線信号を電気信号である操作信号に変換して制御部１０へ与えるようにしてある。
【００３２】
また、室内機１は、受信部１９にて受信した赤外線信号の信号強度の大小を判定する信号強度判定部２０を備えている。リモコン５０から送信された赤外線信号は受信部１９に備えられた受光素子により電気信号に変換される。このとき、赤外線信号の信号強度が強い場合には、受光素子の出力である電気信号の電圧値が高く、赤外線信号の信号強度が弱い場合には、電気信号の電圧値が低くなるため、信号強度判定部２０は、受信部１９の受光素子が出力する電気信号の電圧と予め定められた基準電圧とを比較器で比較し、判定を行うようにしてある。信号強度判定部２０の判定結果は制御部１０へ与えられる。
【００３３】
制御部１０は、操作部１２及び受信部１９から与えられる操作信号に応じて、暖房、冷房、除湿及び送風等の空気調和動作を行うようにしてある。室内機１には、熱交換を行うための室内熱交換器１７と、熱交換された空気を室内に送出するための室内ファン１６とが備えられており、制御部１０は室内熱交換器１７の動作を制御し、室内ファン駆動部１５を制御して室内ファン１６を駆動することにより、空気調和動作を行うようにしてある。なお、室内熱交換器１７は、屋外に設置され、図示しないコンプレッサ、室外熱交換器、四方弁、キャピラリチューブ及び室外ファン等を有する室外機８０に接続されており、室内熱交換器１７、四方弁、室外熱交換器及びキャピラリチューブで構成される冷凍サイクルにより暖房及び冷房の温度調整を行うようにしてある。
【００３４】
また、室内機１は、室内機１が設置された室内の温度を測定するための温度センサ１４を備えており、温度センサ１４の測定結果は制御部１０へ与えられる。また、室内機１は、制御部１０が実行する制御プログラム、及び空気調和機の各部を制御する際に必要な各種のデータが記憶され、また、制御部１０の処理に伴って生成されるデータが記憶されるメモリ１３を備えている。
【００３５】
リモコン５０の赤外線送受信部５３は、赤外線を受光して、受光した赤外線に応じた電気信号を出力する受光素子を有し、室内機１から送信される赤外線信号を受信する受信部５６と、赤外線を発する発行素子であるＬＥＤを有し、室内機１へ赤外線信号を送信する送信部５７とを備えている。受信部５６は、受信した赤外線信号を電気信号に変換して、リモコン５０の各部の制御を行う制御部５５へ与えるようにしてあり、送信部５７は、制御部５５からの指示により赤外線信号を送信するようにしてある。
【００３６】
リモコン５０の操作部５２は、ユーザの操作に応じた操作信号を制御部５５へ与えるようにしてあり、制御部５５は操作信号を赤外線送受信部５３の送信部５７にて赤外線信号に変換して室内機１へ送信するようにしてある。また、制御部５５は、受信部５６から与えられる電気信号から、空気調和機の動作状況及び室内機１に備えられた温度センサ１４が測定した室温等の情報を取得し、これらの情報を液晶パネル５１に表示するようにしてある。
【００３７】
図３は、本発明に係る空気調和機の室内機１の送信部１８の構成を示す模式的回路図であり、送信部１８の要部のみを簡略化して図示してある。送信部１８は、赤外線を発光するＬＥＤ３１を備えている。ＬＥＤ３１のカソードと接地電位の間には、ＬＥＤ３１のオン／オフを制御するトランジスタＴｒが設けてあり、トランジスタＴｒのベースは室内機１の制御部１０に接続され、制御部１０によりＬＥＤ３１のオン／オフを制御できるようにしてある。
【００３８】
また、ＬＥＤ３１のアノードは、スイッチＳＷにより切り替えられて、抵抗Ｒ１又は抵抗Ｒ２に接続されており、抵抗Ｒ１又は抵抗Ｒ２を介して電圧源Ｅに接続されている。スイッチＳＷの切替は、室内機１の制御部１０により行うことができるようにしてある。なお、抵抗Ｒ１は抵抗Ｒ２より抵抗値を小さくしてあり、スイッチＳＷが抵抗Ｒ１側に切り替えられている場合にはＬＥＤ３１に流れ込む電流量が多く、スイッチＳＷが抵抗Ｒ２側に切り替えられている場合にはＬＥＤ３１に流れ込む電流量が少ない。ＬＥＤ３１は電流量により光量が変化するため、制御部１０がスイッチＳＷを切り替えることにより、送信部１８から送信される赤外線信号の信号強度を調整することができる。
【００３９】
図４は、本発明の実施の形態１に係る空気調和機の室内機１の受信部１９がリモコン５０からの赤外線信号を受信した場合に室内機１の制御部１０が行う処理の手順を示すフローチャートである。まず、制御部１０は、受信部１９がリモコン５０からの赤外線信号を受信したか否かを調べ（ステップＳ１）、赤外線信号を受信していない場合は（Ｓ１：ＮＯ）、赤外線信号を受信するまで待機する。
【００４０】
受信部１９がリモコン５０からの赤外線信号を受信した場合（Ｓ１：ＹＥＳ）、受信部１９の受光素子により赤外線信号を電気信号に変換し、信号強度判定部２０にて電気信号の電圧値を基準電圧と比較することにより、受信した赤外線信号の信号強度の判定を行い（ステップＳ２）、判定結果をメモリ１３に記憶する（ステップＳ３）。次いで、受信した赤外線信号にてリモコン５０から与えられた操作内容に応じた処理、例えば送風から冷房への運転切替、設定温度の変更又は風向きの変更等の処理を行い（ステップＳ４）、処理を終了する。
【００４１】
図５は、本発明の実施の形態１に係る空気調和機の室内機１の送信部１８から赤外線信号を送信する場合に室内機１の制御部１０が行う処理の手順を示すフローチャートである。まず、制御部１０は、図４に示すフローチャートのステップＳ３にてメモリ１３に記憶した信号強度判定部２０の判定結果を読み出し（ステップＳ２１）、読み出した判定結果から、受信した赤外線信号の信号強度が大きいか否かを調べる（ステップＳ２２）。
【００４２】
受信した赤外線信号の信号強度が大きい場合（Ｓ２２：ＹＥＳ）、送信部１８のスイッチＳＷを抵抗Ｒ２側へ切り替えて（ステップＳ２３）、ＬＥＤ３１に流れる電流量を低減し、送信される赤外線信号の信号強度を弱める。受信した赤外線信号の信号強度が大きくない場合（Ｓ２２：ＮＯ）、送信部１８のスイッチＳＷを抵抗Ｒ１側へ切り替えて（ステップＳ２４）、ＬＥＤ３１に流れる電流量を増し、送信される赤外線信号の信号強度を強める。ステップＳ２３又はステップＳ２４にて送信部１８のスイッチＳＷを切り替えた後、トランジスタＴｒを駆動して赤外線信号の送信を行い（ステップＳ２５）、送信終了後に処理を終了する。
【００４３】
以上の構成の空気調和機においては、リモコン５０から送信される赤外線信号を受信部１９にて受信した場合に、受信した赤外線信号の信号強度を判定し、判定結果に応じて送信部１８からリモコン５０へ送信する赤外線信号の信号強度を調整することにより、室内機１及びリモコン５０の間の距離に応じた信号強度の赤外線信号を送信することができるため、リモコン５０が確実に受信を行うことができると共に、室内機１にて消費される電力を低減することができる。また、送信部１８にて送信する赤外線信号の信号強度を、制御部１０がスイッチＳＷを切り替えるのみで簡単に調整することができるため、回路規模の増大を抑制できる。
【００４４】
なお、本実施の形態においては、送信部１８のスイッチＳＷを抵抗Ｒ１又は抵抗Ｒ２のいずれかに接続することで、信号強度を大小の２段階に調整する構成としたが、これに限るものではなく、抵抗値の異なるより多くの抵抗を設け、スイッチＳＷによりＬＥＤ３１をいずれかの抵抗に接続する構成とすることにより、３段階以上の調整を行う構成としてもよく、ＬＥＤ３１へ供給する電流量を線形的に増減する回路を用いる構成であってもよい。この場合には、信号強度判定部２０では、より多くの基準電圧との比較判定を行い、より細かく信号強度の判定を行う構成とすればよい。また、本実施の形態においては、電気機器として空気調和機を例に説明を行ったが、これに限るものではなく、例えばテレビジョン装置、オーディオ装置及びハードディスクレコーダ等の他の電気機器であっても、リモコンを備える電気機器であれば本発明の構成を適用することが可能である。
【００４５】
（変形例）
図６は、本発明の実施の形態１の変形例に係る空気調和機の室内機１の送信部１８ａの構成を示す模式的回路図であり、送信部１８ａの要部のみを簡略化して図示してある。送信部１８ａは、赤外線を発光するＬＥＤ３２及びＬＥＤ３３を備えている。ＬＥＤ３２のカソードと接地電位の間には、ＬＥＤ３２のオン／オフを制御するトランジスタＴｒ１が設けてあり、ＬＥＤ３３のカソードと接地電位の間には、ＬＥＤ３３のオン／オフを制御するトランジスタＴｒ２が設けてある。トランジスタＴｒ１及びトランジスタＴｒ２のベースは、共に室内機１の制御部１０ａに接続され、制御部１０ａにより同時にＬＥＤ３２及びＬＥＤ３３のオン／オフを制御することができるようにしてある。
【００４６】
また、ＬＥＤ３２のアノードは、直列に接続されたスイッチＳＷ２及び抵抗Ｒ３を介して電圧源Ｅに接続されており、ＬＥＤ３３のアノードは、抵抗Ｒ３と略同じ抵抗値の抵抗Ｒ４を介して電圧源Ｅに接続されている。スイッチＳＷ２の切り替えは、室内機１の制御部１０ａにより行うことができるようにしてある。スイッチＳＷ２をオンにした場合には、ＬＥＤ３２及びＬＥＤ３３が共に発光し、スイッチＳＷ２をオフにした場合には、ＬＥＤ３２は発光せず、ＬＥＤ３３のみが発光するため、送信部１８ａから送信される赤外線信号の信号強度を調整することができる。
【００４７】
なお、本変形例においては、発光素子としてＬＥＤ３２及びＬＥＤ３３の２つを備える構成としたが、これに限るものではなく、３つ以上のＬＥＤを備え、各ＬＥＤと電圧源Ｅとの間にそれぞれスイッチを設け、制御部が各スイッチのオン／オフを制御する構成であってもよい。また、抵抗Ｒ３及び抵抗Ｒ４の抵抗値を略同じ抵抗値としたが、これに限るものではなく、異なる抵抗値であってもよい。
【００４８】
（実施の形態２）
図７は、本発明の実施の形態２に係る空気調和機の構成を示すブロック図である。実施の形態２に係る空気調和機の室内機１０１の制御部１１０は、商用電源からの交流電圧を直流電圧に変換して室内機１０１の各部へ電力供給を行う電源回路１０２の動作を制御することができるようにしてある。電源回路１０２は、室内機１０１の各部へ動作に十分な量の電力を供給する動作モードと、各部への電力供給を最小に抑える待機モードとの２種類の状態を有し、制御部１１０はこの２種類の状態の切り替えを行うことができるようにしてある。
【００４９】
制御部１１０は、暖房、冷房、除湿及び送風等の空気調和動作を行う場合には、電源回路１０２を動作モードに切り替え、空気調和動作を行わない場合には、電源回路１０２を待機モードに切り替えることにより、室内機１０１の消費電力を低減するようにしてある。ただし、待機モードの場合であっても、温度センサ１４による室温の測定は継続して行われ、測定結果はリモコン５０へ送信されて、リモコン５０の液晶パネル５１に室温が表示されるようにしてある。
【００５０】
図８は、本発明の実施の形態２に係る室内機１０１の受信部１９がリモコン５０からの赤外線信号を受信した場合に室内機１０１の制御部１１０が行う処理の手順を示すフローチャートである。まず、制御部１１０は、受信部１９がリモコン５０からの赤外線信号を受信したか否かを調べ（ステップＳ４１）、赤外線信号を受信していない場合は（Ｓ４１：ＮＯ）、赤外線信号を受信するまで待機する。受信部１９がリモコン５０からの赤外線信号を受信した場合（Ｓ４１：ＹＥＳ）、受信部１９の受光素子により赤外線信号を電気信号に変換し、信号強度判定部２０にて電気信号の電圧値を基準電圧と比較することにより、受信した赤外線信号の信号強度の判定を行い（ステップＳ４２）、判定結果をメモリ１３に記憶する（ステップＳ４３）。
【００５１】
次いで、受信した赤外線信号にてリモコン５０から与えられた操作内容が電源のオン／オフに係る操作であるか否かを調べる（ステップＳ４４）。操作内容が電源のオン／オフに係る操作である場合（Ｓ４４：ＹＥＳ）、更に電源回路１０２が待機モードであるか否かを調べる（ステップＳ４５）。電源回路１０２が待機モードである場合（Ｓ４５：ＹＥＳ）、電源回路１０２を動作モードに切り替え（ステップＳ４６）、暖房、冷房、除湿及び送風等の空気調和動作を開始する（ステップＳ４７）。電源回路１０２が待機モードでない場合、即ち動作モードである場合（Ｓ４５：ＮＯ）、空気調和動作を停止して（ステップＳ４８）、電源回路１０２を待機モードに切り替える（ステップＳ４９）。ステップＳ４４にて、操作内容が電源のオン／オフに係る操作でない場合（Ｓ４４：ＮＯ）、受信した赤外線信号にてリモコン５０から与えられた操作内容に応じた処理、例えば送風から冷房への運転切替、設定温度の変更又は風向きの変更等の処理を行う（ステップＳ５０）。制御部１１０は、ステップＳ４７、Ｓ４９又はＳ５０を行った後、処理を終了する。
【００５２】
図９は、本発明の実施の形態２に係る空気調和機の室内機１０１の送信部１８から赤外線信号を送信する場合に室内機１０１の制御部１１０が行う処理の手順を示すフローチャートである。まず、制御部１１０は、電源回路１０２が待機モードであるか否かを調べる（ステップＳ６１）。電源回路１０２が待機モードである場合（Ｓ６１：ＹＥＳ）、図８に示すフローチャートのステップＳ４３にてメモリ１３に記憶された信号強度判定部２０の判定結果を読み出し（ステップＳ６２）、読み出した判定結果から、受信した赤外線信号の信号強度が大きいか否かを調べる（ステップＳ６３）。
【００５３】
受信した赤外線信号の信号強度が大きい場合（Ｓ６３：ＹＥＳ）、送信部１８のスイッチＳＷを抵抗Ｒ２側へ切り替えて（ステップＳ６４）、ＬＥＤ３１に流れる電流量を低減し、送信される赤外線信号の信号強度を弱める。受信した赤外線信号の信号強度が大きくない場合（Ｓ６３：ＮＯ）、送信部１８のスイッチＳＷを抵抗Ｒ１側へ切り替えて（ステップＳ６５）、ＬＥＤ３１に流れる電流量を増し、送信される赤外線信号の信号強度を強める。
【００５４】
ステップＳ６１にて、電源回路１０２が待機モードでない場合、即ち動作モードである場合（Ｓ６１：ＮＯ）、送信部１８のスイッチＳＷを抵抗Ｒ１側へ切り替えて（ステップＳ６６）、ＬＥＤ３１に流れる電流量を増し、送信される赤外線信号の信号強度を強める。ステップＳ６４、Ｓ６５又はＳ６６にて送信部１８のスイッチＳＷを切り替えた後、トランジスタＴｒを駆動して赤外線信号の送信を行い（ステップＳ６７）、送信終了後に処理を終了する。
【００５５】
以上の構成の実施の形態２に係る空気調和機のように、電源回路１０２が待機モードであり、室内機１０１の各部への電力供給を最小に抑える状態である場合に、受信した赤外線信号の信号強度を判定し、判定結果に応じて送信部１８からリモコン５０へ送信する赤外線信号の信号強度を調整する構成とすることにより、待機モードでの電力消費を確実に低減することができる。
【００５６】
なお、実施の形態２に係る空気調和機のその他の構成は、実施の形態１に係る空気調和機の構成と同様であるため、対応する箇所には同じ符号を付して詳細な説明を省略する。
【図面の簡単な説明】
【００５７】
【図１】本発明に係る空気調和機の構成を示す模式図である。
【図２】本発明の実施の形態１に係る空気調和機の構成を示すブロック図である。
【図３】本発明に係る空気調和機の室内機の送信部の構成を示す模式的回路図である。
【図４】本発明の実施の形態１に係る空気調和機の室内機の受信部がリモコンからの赤外線信号を受信した場合に室内機の制御部が行う処理の手順を示すフローチャートである。
【図５】本発明の実施の形態１に係る空気調和機の室内機の送信部から赤外線信号を送信する場合に室内機の制御部が行う処理の手順を示すフローチャートである。
【図６】本発明の実施の形態１の変形例に係る空気調和機の室内機の送信部の構成を示す模式的回路図である。
【図７】本発明の実施の形態２に係る空気調和機の構成を示すブロック図である。
【図８】本発明の実施の形態２に係る室内機の受信部がリモコンからの赤外線信号を受信した場合に室内機の制御部が行う処理の手順を示すフローチャートである。
【図９】本発明の実施の形態２に係る空気調和機の室内機の送信部から赤外線信号を送信する場合に室内機の制御部が行う処理の手順を示すフローチャートである。
【符号の説明】
【００５８】
１  室内機
２  赤外線送受信部
１０、１０ａ  制御部（調整手段、状態切替手段）
１３  メモリ
１４  温度センサ
１８、１８ａ  送信部（送信手段）
１９  受信部（受信手段）
２０  信号強度判定部（判定手段）
３１、３２、３３  ＬＥＤ（発光素子）
５０  リモコン
５１  液晶パネル
５２  操作部
５３  赤外線送受信部
５５  制御部
５６  受信部
５７  送信部
８０  室外機
１０１  室内機
１０２  電源回路
１１０  制御部
Ｒ１、Ｒ２、Ｒ３、Ｒ４  抵抗
ＳＷ、ＳＷ２  スイッチ
Ｔｒ、Ｔｒ１、Ｔｒ２  トランジスタ
【図１】
2007187346.tif 000003
【図２】
2007187346.tif 000004
【図３】
2007187346.tif 000005
【図４】
2007187346.tif 000006
【図５】
2007187346.tif 000007
【図６】
2007187346.tif 000008
【図７】
2007187346.tif 000009
【図８】
2007187346.tif 000010
【図９】
2007187346.tif 000011